(57)【要約】【課題】簡易な構成で、短い受信電界強度測定期間であっても受信電界強度の大きい最適なアンテナを選択し切り替えることができること。【解決手段】切替制御部ＳＣは、現フレーム内の映像信号期間内に該映像信号を受信する受信用アンテナＡ１〜Ａｎに切り替え、現フレーム内の強度受信期間内に現フレームの映像信号を受信する受信用アンテナＡ１〜Ａｎ以外の受信用アンテナＡ１〜Ａｎに切り替え、それぞれをサンプルホールド回路１５，Ａ／Ｄ変換部１６を介して受信電界強度を測定させ、選択制御部Ｃ１は、強度受信期間内の受信電界強度が映像信号期間内の受信電界強度を超えた場合に、強度受信期間内に切り替えられた受信用アンテナＡ１〜Ａｎを次フレームの映像信号期間内の受信用アンテナＡ１〜Ａｎとして選択する。【選択図】        図２
2005192819.tif 000002
【特許請求の範囲】
【請求項１】
少なくとも情報本体を含む情報本体部と受信電界強度測定のための情報を含む付加部とを有したフレーム構成の無線信号を、複数のアンテナを用いて選択受信する受信装置において、
現フレーム内の前記付加部の伝送期間内に前記情報本体を受信している第１のアンテナ以外の第２アンテナの受信電界強度を測定させるとともに、前記現フレーム内の前記情報本体部の伝送期間内に前記第１のアンテナの受信電界強度を測定させ、前記第２のアンテナの受信電界強度が前記第１のアンテナの受信電界強度を超えた場合、この第２のアンテナを次フレームの前記第１のアンテナとして選択し切り替える制御手段を備えたことを特徴とする受信装置。
【請求項２】
前記制御手段は、前記第２のアンテナの受信電界強度が前記第１のアンテナの受信電界強度を超えない場合、他の前記第２のアンテナに順次切り替えることを特徴とする請求項１に記載の受信装置。
【請求項３】
前記制御手段は、前記第２のアンテナの受信電界強度測定のタイミングを、前記情報本体部の伝送期間の開始時期近傍に設けたことを特徴とする請求項１または２に記載の受信装置。
【請求項４】
前記制御手段は、前記付加部の伝送期間内に複数の第２のアンテナの受信電界強度を測定させ、複数の前記第２のアンテナの電界強度のうちの最も大きな受信電界強度を有する第２のアンテナの受信電界強度が前記第１のアンテナの受信電界強度を超えた場合に、この第２のアンテナを次フレームの前記第１のアンテナとして選択し切り替えることを特徴とする請求項１〜３のいずれか一つに記載の受信装置。
【請求項５】
被検体内部から送信され、少なくとも映像信号を伝送する映像信号部と受信電界強度測定のための情報を含む付加部とを有したフレーム構成の無線信号を、被検体外部に設けられた複数のアンテナを用いて受信する受信装置において、
前記複数のアンテナを選択切替する切替手段と、
現フレーム内の前記付加部の伝送期間内に前記無線信号を受信している第１のアンテナ以外の第２のアンテナの受信電界強度を測定するとともに、前記現フレーム内の前記映像信号部の伝送期間内に前記第１のアンテナの受信電界強度を測定する電界強度測定手段と、
前記電界強度測定手段が測定した前記第２のアンテナの受信電界強度が前記第１のアンテナの受信電界強度を超えた場合、この第２のアンテナを次フレームの前記第１のアンテナとして選択する選択制御手段と、
前記選択制御手段によって選択された第１のアンテナ以外のアンテナを次フレームの前記付加部の伝送期間に順次切替接続し、該選択された第１のアンテナを前記映像信号部の伝送期間に切替接続する切替制御手段と、
を備えたことを特徴とする受信装置。
【発明の詳細な説明】
【技術分野】
【０００１】
この発明は、情報本体を含む情報本体部と少なくとも受信電界強度測定のための情報を含む付加部とを有したフレーム構成の無線信号を、複数のアンテナを用いて選択受信する受信装置に関し、特に被検体内のカプセル型内視鏡から送信される無線映像信号を被検体外の複数のアンテナを用いて受信する受信装置に関するものである。
【背景技術】
【０００２】
近年、内視鏡の分野においては、飲込み型のカプセル型内視鏡が登場している。このカプセル型内視鏡には、撮像機能と無線通信機能とが設けられている。カプセル型内視鏡は、観察（検査）のために患者の口から飲込まれた後、人体から自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部の受信機内に設けられたメモリに蓄積される。患者がこの無線通信機能とメモリ機能とを備えた受信機を携帯することにより、患者は、カプセル型内視鏡を飲み込んだ後、排出されるまでの期間であっても、自由に行動できる。この後、医者もしくは看護士においては、メモリに蓄積された画像データに基づいて臓器の画像をディスプレイに表示させて診断を行うことができる。
【０００４】
一般に受信機は、カプセル型内視鏡から送信される映像信号を受信するための複数のアンテナを体外に分散配置し、映像信号の受信誤りが少ない１つのアンテナを選択切替して受信するようにしている。なお、特許文献１には、体外に配置された複数のアンテナの受信切替を行い、各アンテナが受信する電界強度をもとに、映像信号の発信源である体内のカプセル型内視鏡の位置を探知する受信機が記載されている。
【０００５】
【特許文献１】特開２００３−１９１１１号公報
【発明の開示】
【発明が解決しようとする課題】
【０００６】
しかしながら、従来の受信機は、複数のアンテナから１つのアンテナを選択切替する場合であって１つの受信部（チューナー）を用いる場合、プリアンブルなどの受信電界強度測定期間内に複数のアンテナの受信電界強度を測定しなければならないという問題点があった。
【０００７】
また、アンテナ数が増大すると、上述した受信電界強度測定期間内にすべてのアンテナの受信電界強度を測定するには、アンテナの高速切替が可能な切替スイッチおよび高速な受信電界強度測定処理を実現する回路構成が必要となるという問題点があった。
【０００８】
この発明は、上記に鑑みてなされたものであって、簡易な構成で、短い受信電界強度測定期間であっても受信電界強度の大きい最適なアンテナを選択し切り替えることができる受信装置を提供することを目的とする。
【課題を解決するための手段】
【０００９】
上述した課題を解決し、目的を達成するために、請求項１にかかる受信装置は、少なくとも情報本体を含む情報本体部と受信電界強度測定のための情報を含む付加部とを有したフレーム構成の無線信号を、複数のアンテナを用いて選択受信する受信装置において、現フレーム内の前記付加部の伝送期間内に前記情報本体を受信している第１のアンテナ以外の第２アンテナの受信電界強度を測定させるとともに、前記現フレーム内の前記情報本体部の伝送期間内に前記第１のアンテナの受信電界強度を測定させ、前記第２のアンテナの受信電界強度が前記第１のアンテナの受信電界強度を超えた場合、この第２のアンテナを次フレームの前記第１のアンテナとして選択し切り替える制御手段を備えたことを特徴とする。
【００１０】
また、請求項２にかかる受信装置は、上記の発明において、前記制御手段は、前記第２のアンテナの受信電界強度が前記第１のアンテナの受信電界強度を超えない場合、他の前記第２のアンテナに順次切り替えることを特徴とする。
【００１１】
また、請求項３にかかる受信装置は、上記の発明において、前記制御手段は、前記第２のアンテナの受信電界強度測定のタイミングを、前記情報本体部の伝送期間の開始時期近傍に設けたことを特徴とする。
【００１２】
また、請求項４にかかる受信装置は、上記の発明において、前記制御手段は、前記付加部の伝送期間内に複数の第２のアンテナの受信電界強度を測定させ、複数の前記第２のアンテナの電界強度のうちの最も大きな受信電界強度を有する第２のアンテナの受信電界強度が前記第１のアンテナの受信電界強度を超えた場合に、この第２のアンテナを次フレームの前記第１のアンテナとして選択し切り替えることを特徴とする。
【００１３】
また、請求項５にかかる受信装置は、被検体内部から送信され、少なくとも映像信号を伝送する映像信号部と受信電界強度測定のための情報を含む付加部とを有したフレーム構成の無線信号を、被検体外部に設けられた複数のアンテナを用いて受信する受信装置において、前記複数のアンテナを選択切替する切替手段と、現フレーム内の前記付加部の伝送期間内に前記無線信号を受信している第１のアンテナ以外の第２のアンテナの受信電界強度を測定するとともに、前記現フレーム内の前記映像信号部の伝送期間内に前記第１のアンテナの受信電界強度を測定する電界強度測定手段と、前記電界強度測定手段が測定した前記第２のアンテナの受信電界強度が前記第１のアンテナの受信電界強度を超えた場合、この第２のアンテナを次フレームの前記第１のアンテナとして選択する選択制御手段と、前記選択制御手段によって選択された第１のアンテナ以外のアンテナを次フレームの前記付加部の伝送期間に順次切替接続し、該選択された第１のアンテナを前記映像信号部の伝送期間に切替接続する切替制御手段と、を備えたことを特徴とする。
【発明の効果】
【００１４】
この発明にかかる被検体内導入装置では、制御手段が、現フレーム内の前記付加部の伝送期間内に前記情報本体を受信している第１のアンテナ以外の第２アンテナの受信電界強度を測定させるとともに、前記現フレーム内の前記情報本体部の伝送期間内に前記第１のアンテナの受信電界強度を測定させ、前記第２のアンテナの受信電界強度が前記第１のアンテナの受信電界強度を超えた場合、この第２のアンテナを次フレームの前記第１のアンテナとして選択し切り替えるようにしているので、高速処理を必要としない簡易な構成で、かつ短い受信電界強度測定期間であっても受信電界強度の大きい最適なアンテナを確実に選択し切り替えることができるという効果を奏する。
【発明を実施するための最良の形態】
【００１５】
以下、この発明を実施するための最良の形態である無線型被検体内情報取得システムについて説明する。
【００１６】
（実施の形態１）
まず、実施の形態１にかかる受信装置を備えた無線型被検体内情報取得システムについて説明する。この無線型被検体内情報取得システムは、被検体内導入装置の一例としてカプセル型内視鏡を用いている。
【００１７】
図１は、無線型被検体内情報取得システムの全体構成を示す模式図である。図１に示すように、無線型被検体内情報取得システムは、無線受信機能を有する受信装置２と、被検体１の体内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間のデータ受け渡しを行うための携帯型記録媒体５とを備える。受信装置２は、被検体１によって着用される受信ジャケット２ａと、受信ジャケット２ａを介して受信される無線信号の処理等を行う外部装置２ｂとを備える。
【００１８】
表示装置４は、カプセル型内視鏡３によって撮像された体腔内画像を表示するためのものであり、携帯型記録媒体５によって得られるデータに基づいて画像表示を行うワークステーション等のような構成を有する。具体的には、表示装置４は、ＣＲＴディスプレイ、液晶ディスプレイ等によって直接画像を表示する構成としても良いし、プリンタ等のように、他の媒体に画像を出力する構成としても良い。
【００１９】
携帯型記録媒体５は、外部装置２ｂおよび表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終わった後には、外部装置２ｂから取り出されて表示装置４に挿着され、表示装置４によって記録したデータが読み出される構成を有する。外部装置２ｂと表示装置４との間のデータの受け渡しをコンパクトフラッシュ（登録商標）メモリ等の携帯型記録媒体５によって行うことで、外部装置２ｂと表示装置４との間が有線接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限られるものではなく、外部装置２ｂに内蔵型の他の記録装置を用い、表示装置４との間のデータの受け渡しのために、双方を有線または無線接続するように構成してもよい。
【００２０】
ここで、図２を参照して、受信装置２について説明する。受信装置２は、カプセル型内視鏡３から無線送信された体腔内画像データを受信する機能も有する。図２は、受信装置２の構成を模式的に示すブロック図である。図２に示すように、受信装置２は、被検体１によって着用可能な形状を有し、受信用アンテナＡ１〜Ａｎを備えた受信ジャケット２ａと、受信された無線信号の処理等を行う外部装置２ｂとを備える。なお、受信用アンテナＡ１〜Ａｎのそれぞれは、直接被検体外表面に貼付すべく受信ジャケット２ａに備え付けられなくてもよく、また受信ジャケット２ａに着脱可能なものであってもよい。
【００２１】
外部装置２ｂは、カプセル型内視鏡３から送信された無線信号の処理を行う機能を有する。具体的には、外部装置２ｂは、図２に示すように、受信用アンテナＡ１〜Ａｎの接続切替を行う切替スイッチＳＷと、切替スイッチＳＷの後段に接続され、切替スイッチＳＷによって切替接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段にはさらにＡ／Ｄ変換部１６が接続される。制御部Ｃは、選択制御部Ｃ１を有し、信号処理回路１２、Ａ／Ｄ変換部１６、携帯型記憶媒体５に対応する記憶部１３、表示部１４および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５，Ａ／Ｄ変換部１６および選択制御部Ｃ１の処理タイミングを指示する。電力供給部１７は、上述した各部への電力供給を行い、たとえば電池によって実現される。
【００２２】
外部装置２ｂの切替スイッチＳＷは、切替制御部ＳＣからの切替指示をもとに受信用アンテナＡ１〜Ａｎのいずれか１つを選択的に切り替え、切り替えた受信用アンテナＡ１〜Ａｎからの無線信号を受信回路１１に出力する。受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、制御部Ｃの選択制御部Ｃ１は、後述する強度受信期間に受信された電界強度と映像信号期間に受信された電界強度とを比較し、強度受信期間に受信された電界強度が映像信号期間に受信された電界強度を超えた場合に、この強度受信期間に切り替えられた受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００２３】
ここで、図３および図４を参照して上述した強度受信期間と映像受信期間、すなわち無線信号のフレーム構成について説明するとともに、受信用アンテナＡ１〜Ａｎの選択切替処理の概要について説明する。カプセル型内視鏡３から送られる無線信号は、フレーム単位で送られ、このフレームは図３に示すように、強度受信期間と映像信号期間とから構成される。強度受信期間は、受信調整のためのプリアンブル信号期間に対応する期間である。また、映像信号期間は、映像信号自体の他に、映像信号を受信するために必要な制御信号を含めることができる。
【００２４】
各フレームは、図４に示すように送られ、各フレーム間に無信号状態が存在する場合もあるし、各フレームが連続して送られる場合もある。フレーム送信のフレーム周期ＴＴは、カプセル型内視鏡３のバッテリーの有効利用を考え、注目すべき撮像領域や、カプセル型内視鏡３の移動が速い領域においては短くし、フレーム周期ＴＴの長短は柔軟に調整される。
【００２５】
図４に示すように、ｎ番目のフレーム（ｎ）とｎ＋１番目のフレーム（ｎ＋１）とが順に送信された場合、フレーム（ｎ）の強度受信期間に対応する期間ｔａにおいて、同じフレーム（ｎ）の映像信号期間に受信する受信用アンテナ（映像受信アンテナ）とは異なる他の受信用アンテナ（強度受信アンテナ）に切り替えられ、映像受信期間および次のフレーム（ｎ＋１）の強度受信期間の開始までの期間を含めた期間ｔｂになると映像受信アンテナに切り替えられる。同様に、フレーム（ｎ＋１）の強度受信期間に対応する期間ｔａ’において、同じフレーム（ｎ＋１）の映像信号期間に強度受信アンテナに切り替えられ、映像受信期間および次のフレーム（ｎ＋２）の強度受信期間の開始までの期間を含めた期間ｔｂ’になると映像受信アンテナに切り替えられる。
【００２６】
また、フレーム（ｎ）の強度受信期間内におけるタイミングｔ１において、サンプルホールド回路１５およびＡ／Ｄ変換部１６による強度検出処理が実行され、その結果が選択制御部Ｃ１に出力される。また、同様にして、フレーム（ｎ）の映像信号期間内におけるタイミングｔ２において、サンプルホールド回路１５およびＡ／Ｄ変換部１６による強度検出処理が実行され、その結果が選択制御部Ｃ１に出力される。したがって、次のフレーム（ｎ＋１）のアンテナ切替処理まで余裕の期間は、このタイミングｔ２から次のフレーム（ｎ＋１）の強度受信期間の開始までの切替余裕時間Ｔとなる。このため、タイミングｔ２を、映像信号期間の早い時期にもっていくことによって、切替余裕時間Ｔを長くすることができる。この切替余裕時間Ｔが長くなることは、サンプルホールド回路１５、Ａ／Ｄ変換器１６、選択切替制御部Ｃ１、切替制御部ＳＣおよび切替スイッチＳＷの高速性が不必要になり、簡易な回路装置を用いて実現できることなる。また、映像信号を受信する受信用アンテナの受信電界強度を映像信号期間において受信測定しており、強度受信期間において測定しなくてもよいので、アンテナの高速切替をしなくてもよいことになる。このことは、さらに、強度受信期間において複数の受信用アンテナの受信電界強度を測定する場合に、自映像信号の受信電界強度を測定しなくてもよいので、切替の余裕ができることになる。
【００２７】
ここで、図５に示すフローチャートを参照して、アンテナ切替処理手順について説明する。このアンテナ切替処理は、選択制御部Ｃ１および切替制御部ＳＣによって行われる。図５において、まず初期設定として、選択制御部Ｃ１は、映像受信アンテナの番号である映像受信アンテナ番号をＮｏ．１に設定し、強度受信アンテナの番号である強度受信アンテナ番号をＮｏ．２に設定し、それぞれを切替制御部ＳＣの映像受信アンテナ番号Ｎ２および強度受信アンテナ番号Ｎ１に登録する（ステップＳ１０１）。ここで、映像受信アンテナ番号および強度受信アンテナ番号のＮｏ．１〜Ｎｏ．ｎは、受信用アンテナＡ１〜Ａｎにそれぞれ対応する番号である。
【００２８】
その後、切替制御部ＳＣは、強度受信期間が開始したか否かを判断する（ステップＳ１０２）。強度受信期間が開始した場合（ステップＳ１０２，ＹＥＳ）、切替制御部ＳＣは、強度受信アンテナ番号Ｎ１に登録された強度受信アンテナ番号に対応する受信用アンテナに切り替える指示を切替スイッチＳＷに出力し（ステップＳ１０３）、切替スイッチＳＷは、指示された受信用アンテナに切り替える。その後、切替制御部ＳＣは、タイミングｔ１においてサンプルホールド回路１５およびＡ／Ｄ変換部１６に対して強度受信アンテナの受信電界強度の検出処理を行わせ（ステップＳ１０４）、映像受信期間の開始に合わせて映像受信アンテナ番号Ｎ２に登録された受信用アンテナに切り替えさせる指示を切替スイッチＳＷに対して行い（ステップＳ１０５）、切替スイッチＳＷは、指示された受信用アンテナに切り替える。なお、このステップＳ１０５の切替時期は、映像信号期間の開始でなくても、強度受信アンテナの電界強度測定処理が終了した段階であれば、強度受信期間内であってもよい。
【００２９】
その後、切替制御部ＳＣは、映像信号期間が開始したか否かを判断する（ステップＳ１０６）。ここでいう映像信号期間は、映像信号期間内に制御信号などが含まれる場合においては映像信号が送信される期間としてもよい。その後、映像信号期間が開始した場合（ステップ（Ｓ１０６，ＹＥＳ）、タイミングｔ２においてサンプルホールド回路１５およびＡ／Ｄ変換部１６に対して強度受信アンテナの受信電界強度の検出処理を行わせる（ステップＳ１０７）。
【００３０】
その後、選択制御部Ｃ１は、映像信号期間に受信した映像受信アンテナの受信電界強度（映像受信アンテナ強度）が、強度受信期間に受信した強度受信アンテナの受信電界強度（強度受信アンテナ強度）に比して小さいか否かを判断する（ステップＳ１０８）。映像受信アンテナ強度が強度受信アンテナ強度に比して小さい場合（ステップＳ１０８，ＹＥＳ）には、映像受信アンテナ番号を強度受信アンテナ番号として、強度受信アンテナ番号Ｎ１に登録し（ステップＳ１０９）、ステップＳ１１０に移行する。一方、映像受信アンテナ強度が強度受信アンテナ強度に比して小さくない場合（ステップＳ１０８，ＮＯ）、すなわち映像受信アンテナ強度が強度受信アンテナ強度を超えている場合には、そのまま、強度受信アンテナ番号Ｎ１の値をインクリメントする（ステップＳ１１０）。
【００３１】
その後、強度受信アンテナ番号の値と映像受信アンテナ番号の値とが一致するか否かを判断し（ステップＳ１１１）、一致する場合（ステップＳ１１１，ＹＥＳ）には、ステップＳ１１０に移行してさらに強度受信アンテナ番号の値をインクリメントし、一致しない場合（ステップＳ１１１，ＮＯ）には、さらに強度受信アンテナ番号がＮｏ．ｎであるか否かを判断する（ステップＳ１１２）。ここで強度受信アンテナ番号がＮｏ．ｎでない場合（ステップＳ１１２，ＮＯ）には、ステップＳ１０２に移行して上述した処理を繰り返し、強度受信アンテナ番号がＮｏ．ｎである場合（ステップＳ１１２，ＹＥＳ）には、さらに映像受信アンテナ番号がＮｏ．１であるか否かを判断する（ステップＳ１１３）。映像受信アンテナ番号がＮｏ．１でない場合（ステップＳ１１３，ＮＯ）には、強度受信アンテナ番号をＮｏ．１に設定して登録し（ステップＳ１１４）、映像受信アンテナ番号がＮｏ．１である場合（ステップＳ１１３，ＹＥＳ）には、強度受信アンテナ番号をＮｏ．２に設定し登録し（ステップＳ１１５）、その後ステップＳ１０２に移行して上述した処理を繰り返す。
【００３２】
この実施の形態１では、映像信号期間において映像信号の受信電界強度を測定し、強度受信期間において映像信号を受信する受信用アンテナ以外の受信用アンテナに順次切り替えて受信電界強度を測定し、強度受信期間に測定した受信電界強度が映像受信期間に測定した受信電界強度を超えた場合に、この強度受信期間に切り替えられた受信用アンテナを映像受信期間の受信用アンテナに切り替えるようにしているので、強度受信期間を短くすることができるとともに、強度受信期間における受信用アンテナの切替にかかる時間に余裕を持たせることができるとともに、映像受信期間における強度検出タイミングを早めることによってフレーム間におけるアンテナ切替設定の時間的余裕が生まれ、受信電界強度測定にかかわる構成に高速性が要求されず、簡易な構成とすることができる。
【００３３】
（実施の形態２）
つぎに、この発明の実施の形態２について説明する。この実施の形態２では、実施の形態１における受信回路１１とサンプルホールド回路１５との間に、ピークホールド回路１８をさらに設けた構成としている。
【００３４】
図６は、この発明の実施の形態２である受信装置の構成を示すブロック図である。図６に示すように、この受信装置は、ピークホールド回路１８が設けられ、受信回路１１から出力される受信強度信号Ｓ２のピーク値を保持する。
【００３５】
このため、図７に示すように、切替制御部ＳＣは、強度受信期間の開始時期に、信号Ｓｒをピークホールド回路１８に出力して、タイミングｔｒ１でリセットさせる。その後、切替制御部ＳＣは、サンプルホールド回路１５の検出タイミングｔ３時に、ピークホールド回路１８が保持したピーク値を取得し、映像信号期間の開始時期に再びピークホールド回路１８をタイミングｔｒ２でリセットさせる。このタイミングｔｒ２後のタイミングｔ４においてサンプルホールド回路１５が、ピークホールド回路１８が保持したピーク値を取得する。すなわち、サンプルホールド回路１５は、タイミングｔｒ１からタイミングｔ３までの間のピーク値をサンプルするとともに、タイミングｔｒ２からタイミングｔ４までの間のピーク値をサンプルすることができ、一層、受信電界強度測定を精度よく行うことができる。
【図面の簡単な説明】
【００３６】
【図１】この発明の実施の形態１にかかる受信装置を含む無線型被検体内情報取得システムの全体構成を示す模式図である。
【図２】図１に示した受信装置の構成を示すブロック図である。
【図３】図１に示したカプセル型内視鏡から送られる無線信号のフレームフォーマットを示す図である。
【図４】図１に示した受信装置によるフレーム毎の受信電界強度測定処理を示すタイムチャートである。
【図５】図１に示した受信装置によるアンテナ切替処理手順を示すフローチャートである。
【図６】この発明の実施の形態１にかかる受信装置の構成を示すブロック図である。
【図７】図６に示した受信疎須知によるフレーム毎の受信電界強度測定処理を示すタイムチャートである。
【符号の説明】
【００３７】
１    被検体
２    受信装置
２ａ  受信ジャケット
２ｂ  外部装置
３    カプセル型内視鏡
４    表示装置
５    携帯型記録媒体
１１  受信回路
１２  信号処理回路
１３  記憶部
１４  表示部
１５  サンプルホールド回路
１６  Ａ／Ｄ変換部
１７  電力供給部
１８  ピークホールド回路
ＳＷ  切替スイッチ
Ｃ    制御部
Ｃ１  選択制御部
ＳＣ  切替制御部
Ｎ１  強度受信アンテナ番号
Ｎ２  映像受信アンテナ番号
Ａ１〜Ａｎ  受信用アンテナ
【図１】
2005192819.tif 000003
【図２】
2005192819.tif 000004
【図３】
2005192819.tif 000005
【図４】
2005192819.tif 000006
【図５】
2005192819.tif 000007
【図６】
2005192819.tif 000008
【図７】
2005192819.tif 000009